(57)【特許請求の範囲】
【請求項１】
コーナーポスト間に張設されたロープを具備したものであって、該ロープが、透光性を有したロープ本体と、該ロープ本体内に埋設された発光部材とを具備し、該発光部材からの光が前記ロープ本体を通ってその径方向外側に射出されるように構成してあることを特徴とする格闘技用リング設備。
【請求項２】
ロープ本体が、透光性を有する弾性樹脂製のチューブである請求項１記載の格闘技用リング設備。
【請求項３】
前記チューブが、光拡散性を有する半透明の樹脂で形成されている請求項２記載の格闘技用リング設備。
【請求項４】
前記発光部材が、帯状をなすフレキシブル基板と、該フレキシブル基板上に、その長手方向に沿って列状に並べて配置された複数のＬＥＤとを具備したものである請求項１記載の格闘技用リング設備。
【請求項５】
発光部材が、透明弾性樹脂製の第２チューブに挿入されており、該発光部材が挿入された第２チューブが、前記チューブに挿入されている請求項２記載の格闘技用リング設備。
【請求項６】
選手が試合をするマット・キャンバスの端辺から垂れ下がるエプロン板が、斜め下方に広がるように垂れ下がり、その表面が傾斜するように構成してある請求項１記載の格闘技用リング設備。
【請求項７】
コーナーポスト間に張設されたロープを具備し、該ロープが、透光性を有したロープ本体と、該ロープ本体内に埋設された発光部材とを備えた格闘技用リング設備の操作方法であって、試合中に前記発光部材を発光させることを特徴とする格闘技用リング設備の操作方法。
【発明の詳細な説明】
【技術分野】
【０００１】
本発明は、総合格闘技やプロレスなどに用いられる格闘技用リング設備等に関するものである。
【背景技術】
【０００２】
総合格闘技やプロレス、ボクシングなどでは、特許文献１に示すように、土台の上にクッション等を敷いて正方形のマット（キャンバス）を形成するとともに、その角部にコーナーポストを設け、各コーナーポスト間に複数本のロープを張り巡らせてリングが形成される。
この種のリングに用いられるロープとしては、木綿や麻、ナイロンなどを素材としたものの他、鋼線の周囲をゴムチューブで覆ったものなども知られている。
【０００３】
ところで、最新設備が整った大規模な会場での興行が行われるようになった近時では、音響やライティングを使って観衆の雰囲気を盛り上げたり、複数の大型ディスプレイによって種々の角度からの試合映像を流したり再生映像を流したりして、試合内容をよりわかりやすくするといった工夫がなされている。
【０００４】
しかしながら、このようにリング周囲での種々の工夫がなされているにもかかわらず、リングそのものは旧態然としている。精々、上方からのカメラ映像に対応して、マット（キャンバス）上に広告やデザインが施されている程度に過ぎないのが実情である。
【０００５】
たしかに、前記特許文献１に示すように、有刺鉄線や爆薬などが仕掛けられた奇天烈なリングは考えられているが、これは、試合内容を楽しむためのものではなく、むしろ、リング設備によって試合に生じる思わぬハプニングを楽しむためのものである。
【先行技術文献】
【特許文献】
【０００６】
【特許文献１】実用新案登録番号第３００９５８９号
【発明の概要】
【発明が解決しようとする課題】
【０００７】
本発明は、かかる課題に鑑みてなされたものであって、観衆の雰囲気を盛り上げ、試合の緊迫感や面白さをより一層引き出すだけでなく、選手にとっても試合運びなどに有用に活用でき、試合内容をより濃くすることのできる、従来にない発想のリング設備を提供すべく図ったものである。
【課題を解決するための手段】
【０００８】
すなわち、本発明に係る格闘技用リング設備は、コーナーポスト間に張設されたロープを具備したものであって、該ロープが、ひも状をなす透光性を有したロープ本体と、該ロープ本体内に埋設された発光部材とを具備し、該発光部材からの光が前記ロープ本体を通ってその径方向外側に射出されるように構成してあることを特徴とする。
【０００９】
発光部材の挿入や交換等のための抜脱作業を容易ならしめるとともに、内部の発光部材を選手がロープに接触すること等による衝撃から好適に保護するためには、ロープ本体として、透光性を有する弾性樹脂性のチューブを用いることが望ましい。
【００１０】
ロープそのものが、径方向のどの方向から視ても、ムラなく光って見えるようにするには、前記チューブが、光拡散性を有する半透明の樹脂で形成されていることが好ましい。
【００１１】
前記発光部材の具体的な実施態様としては、帯状をなすフレキシブル基板と、該フレキシブル基板上に、その長手方向に沿って列状に並べて配置された複数のＬＥＤとを具備したものを挙げることができる。このようなものであれば、製作が容易である上、低電圧で駆動して十分な明るさを得ることができるので、安全であり、感電等の不測の事態が発生することを防止できる。
【００１２】
前記発光部材を、試合での衝撃から保護して断線等を防止するとともに、交換を容易ならしめるには、発光部材が、透明弾性樹脂製の第２チューブに挿入されており、発光部材が挿入された第２チューブが、前記チューブに挿入されているものがより好適である。
【００１３】
マット・キャンバスの端辺から垂れ下がるエプロン板が、斜め下方に広がるように垂れ下がり、その表面が傾斜するように構成してあるものであれば、観衆にとって、ロープに囲まれて形成されるリング自体も大きく安定感があるように認識され、かつエプロンがよく見えるようになるので、このエプロン表面に印字やＬＥＤによって広告やデザインを施すことによって、試合の雰囲気を盛り上げるといったより一層の効果を奏するようになる。
【発明の効果】
【００１４】
このように構成した本発明は、衝撃を受けうるロープを発光させるという、従来の常識では考えられない発想に基づいてなされたものである。
そして本発明によれば、ロープを所望の態様で発光させることによって、戦いの場としての雰囲気をリング自体に醸し出させることができるようになり、観衆にとってみれば、期待感や興奮が高まって、試合をより楽しむことができるようになるだけでなく、選手に対しても好影響を与えるので、より内容の濃い試合を期待することができるようになる。
【図面の簡単な説明】
【００１５】
【図１】本発明の一実施形態におけるリング設備の全体図。
【図２】同実施形態におけるロープの構造を示す部分縦断面斜視図。
【図３】同実施形態におけるロープの横断面図。
【図４】本発明の他の実施形態における発光部材を金属鋼線に巻き付けた状態を示す側面図。
【発明を実施するための形態】
【００１６】
以下に本発明の一実施形態に係る格闘技用リング設備１００（以下、単にリング設備１００ともいう。）について図面を参照して説明する。
【００１７】
本実施形態に係るリング設備１００は、図１に示すように、図示しない金属フレームを枠状に組み合わせて形成した土台（図示しない）と、該土台上に敷かれて正方形状のマット・キャンバスＳを形成する床板１と、床板１の端縁から下方に向かって垂れ下がるエプロン板２と、前記マット・キャンバスＳの四隅にそれぞれ立設されたコーナーポスト３と、隣り合うコーナーポスト３間に上下に張設された複数本（ここでは５本）のロープ４とを有したものである。
【００１８】
前記床板１は、複数の板部材を積み重ねて複数層とした構造を有しており、例えば、下から順に硬質のベース板、弾性のあるジョイントマット、樹脂製ソフトマット、表皮シートを重ねて形成したものである。
コーナーポスト３は、下端部が前記土台に取り付けられて起立延伸する金属（例えば鉄）製の柱である。
【００１９】
ロープ４は、図２、図３に示すように、弾性樹脂製のチューブ４１（以下、メインチューブ４１ともいう。）と、このメインチューブ４１内を挿通する芯線たる金属鋼線４２とを備えた環状をなすものであり、ロープ接続金具５（以下、ターンバックル５ともいう。）を介して前記コーナーポスト３に取り付けられて、その内部にリングを形成する。
【００２０】
より具体的に説明する。前記各コーナーポスト３には、そのリング中央を向く面に、前記ターンバックル５の一端が取り付けられている。一方、ロープ４の４箇所には、図２に示すように、メインチューブ４１が分断されて前記金属鋼線４２が露出する係止部位４ａが設けてあり、この係止部位４ａから露出する金属鋼線４２に、前記ターンバックル５の他端が引っ掛けられている。そして、該ターンバックル５が締めこまれることにより、ロープ４が各コーナーポスト３に向かって張設され、平面視、正方形となってその内部にリングが形成されるように構成してある。
【００２１】
また、この実施形態では、ロープ４よりも外側におけるマット・キャンバスＳの幅（エプロンサイドの幅）を従来のものよりもやや大きくして、ラウンドガールなどが歩きやすいように構成してある。  
なお、このターンバックル５には、危険防止のために弾性樹脂製の保護チューブ６が被せてある。また、図１中、符号７はコーナーマットを示している。
【００２２】
しかして、この実施形態におけるリング設備１００は、以下のような特徴を有している。
第１の特徴はロープ４にある。
この実施形態におけるロープ４において、前記メインチューブ４１は、従来の不透明なものではなく、ここでは光を拡散透過させる半透明な素材で形成してある。
また、このロープ４は、図２、図３に示すように、前記メインチューブ４１の内部に挿入されたライン状の発光部材４３をさらに具備している。
【００２３】
この発光部材４３は、帯状のフレキシブル配線基板４３２と、このフレキシブル配線基板４３２に、その長手方向に沿って１列乃至複数列で登載された複数の表面実装型ＬＥＤ４３１と、前記フレキシブル配線基板４３２の端部に設けられたコネクタ４３３とを備えたものであり、透明又は半透明な第２チューブ４４に挿入されている。そして、この発光部材４３が挿入された第２チューブ４４が、前記金属鋼線４２と並行して前記メインチューブ４１に挿入されている。
【００２４】
なお、各ＬＥＤ４３１の発光色は同一でもよいし、異なっていてもよい。また、発光部材４３が挿入された第２チューブ４４を、前記メインチューブ４１に２本以上挿入してもよい。この場合、各発光部材４３で発光色を異ならせてもよい。
【００２５】
前記コネクタ４３３には、図２に示すように電源線８が接続されている。この電源線８は、前記ターンバックル５を保護する保護チューブ６を通ってコーナーポスト３から下方に垂らされ、その先にある電源制御装置（図示しない）に接続されている。
【００２６】
この電源制御装置は、オペレータの操作によって、または自動で、前記ＬＥＤ４３１に電力を供給し、各ＬＥＤ４３１を所定の態様で発光させる、すなわち、一部又は全部のＬＥＤ４３１を所定の明るさや色で点灯させたり、点滅させたりする電気回路であり、リングサイドの操作しやすいところに配置されている。会場の音響やライティングの操作装置と同じ場所に配置して、有線ないし無線で接続しこれと同期動作可能に構成しても構わない。
【００２７】
このような構成において、前記電源制御装置からの指令によって発光部材４３のＬＥＤ４３１が光を射出すると、この光は第２チューブ４４を透過して、図３に示すように、メインチューブ４１に当たり、ここで光が拡散して外方に射出される。この結果、あたかもロープ４が径方向全体に光っているかのごとく見える。
しかして、本実施形態によれば、以下のような効果を奏し得る。
【００２８】
例えば、試合中や試合前に、周囲のライティングや音響と同期させて、ロープ４を所望の態様で発光させることによって、一種幻想的で崇高な戦いの場としての雰囲気をリング自体に醸し出させることができるようになる。
そして、これによって、観衆の期待や興奮が高まるばかりでなく、選手にも好影響を与えて、より内容の濃い試合を期待することができるようになる。
【００２９】
また、例えば、試合の残り時間に応じてロープ４の発光色が変わっていく（最初は青で点灯し、ラウンドの残り時間が１分を切れば赤になり、残り３０秒を切ればそれが点滅し、だんだん点滅速度が早くなっていくなど。）ようにすれば、観衆の期待感や臨場感を高めることができる。選手にとっても、当然にそれが目に入るので、試合の進行を考えた戦略を立てることができるようになる。これはタイマーによって前記電源制御装置が自動でＬＥＤを制御してもよいし、オペレータが電源制御装置を手動で操作してもよい。なお、ライティングなどでマット・キャンバスＳを種々の色で照らすと、試合中、光源の光が選手の目に入って、試合を妨げることにもなり兼ねないが、ロープ４の発光であれば、しかも、この実施形態では拡散光なので、選手の邪魔になることもない。
【００３０】
レフリーから反則した選手に対して警告がだされたり、あるいは膠着状態の場合に、アグレッシブに試合を運ぶように催促が出されたりするが、それをロープ４の発光態様によって知らせることも可能である。例えば、減点の場合は、ロープ４が赤で発光し、警告の場合は黄色で発光し、膠着状態の場合は、種々の色で点滅するなどである。この場合は、レフリーや場外ジャッジからの指令で、電源制御装置が動作するようにしておけばよい。
【００３１】
ロープ４や床板１に感圧センサを設けて、選手がロープ４や床板１にぶつかった衝撃を検知して、ロープ４を例えば衝撃力に応じた色や明るさで自動発光するようにしてもよい。
その他、ロープ４の発光態様は、種々考えられる。
【００３２】
第２の特徴は前記エプロン板２にある。このエプロン板２は、図１に示すように、床板１の端辺から斜め下方に垂れ下がるものであり、その表面に傾斜面２ａが形成されている。この傾斜面２ａに、広告やデザインなどが、ＬＥＤや印字などによって施されている。
【００３３】
従来エプロンは垂直に垂れ下がっていたが、ドーム会場など、近時の会場設備は、観衆が斜め上方から試合を観戦する構成のところも多いため、上述の構成によって、観衆からエプロンがよく見えるようになる。また、リング自体も大きく安定感があるように認識される。そして、このエプロンに電飾や印字デザインなど施すことによって、前記ロープ４同様、リングそのものが、試合の雰囲気を盛り上げるといった効果を奏するようになる。
なお、本発明は前記実施形態に限られない。
【００３４】
例えば、図４に示すように、前述した帯状発光部材４３を、金属鋼線４２に巻き付けるようにしてメインチューブ４１内に挿入してもよい。この場合は第２チューブ４４は不要であり、その分コストを削減できる。ただ、前記実施形態のように第２チューブ４４内に発光部材を挿入するのと比べると、着脱交換性や耐久性の点で若干劣るが、同様の効果を奏し得る。
【００３５】
発光部材は、フレキシブル基板を用いたもののみならず、複数のＬＥＤをケーブルで接続したものでも構わない。またＬＥＤ以外の発光素子を用いることも可能である。
ロープとしては、チューブを用いることなく、中実で透光性のある樹脂性のロープ本体に、ＬＥＤ等の発光部材が、一体的に埋め込んであるものでも構わない。
【００３６】
床板を発光させることも可能である。この場合、例えば、硬質のベース板に有底溝や有底孔を設けてそこにＬＥＤを嵌め込んでおき、その上から、透明あるいは半透明の弾性樹脂性マットを敷くといった構成にすればよい。
その他、本発明は前記実施形態に限られず、その趣旨を逸脱しない範囲で種々の変形が可能であるのは言うまでもない。
【符号の説明】
【００３７】
１００・・・格闘技用リング設備
２・・・エプロン板
３・・・コーナーポスト
４・・・ロープ
４１・・・ロープ本体（チューブ）
４３・・・発光部材
４３１・・・ＬＥＤ
４３２・・・フレキシブル基板
４４・・・第２チューブ
Ｓ・・・マット・キャンバス
【図１】
0006509107.tif 000002
【図２】
0006509107.tif 000003
【図３】
0006509107.tif 000004
【図４】
0006509107.tif 000005